(57)【特許請求の範囲】
【請求項１】
移動パケット通信システムにおける移動局が複数の基地局に同時に接続されるソフトハンドオーバー時に、前記移動局で選択した基地局から送信され、複数の移動局で共有されるチャネルの送信電力オフセットを制御する送信電力制御方法において、
移動局から報告された移動局−ネットワーク間で確立されている無線リンク内の全セルのパイロット信号の受信電力強度を、電力の強度に応じてクラス分けし、
前記複数の移動局で共有されるチャネルの通信レートをクラス分けし、
前記無線リンク内の全セルのパイロット信号の受信電力強度のクラスの組み合わせと、前記複数の移動局で共有されるチャネルの通信レートのクラスとの関係に基づいて、前記複数の移動局で共有されるチャネルの送信電力オフセットを制御する
ことを特徴とする送信電力制御方法。
【請求項２】
請求項１記載の送信電力制御方法において、
移動局から報告された移動局−ネットワーク間で確立されている無線リンク内の全セルのパイロット信号の受信電力強度から抽出したパイロット信号の受信電力強度の組み合わせと、前記複数の移動局で共有されるチャネルの通信レートのクラスとの関係に基づいて、前記複数の移動局で共有されるチャネルの送信電力オフセットを制御することを特徴とする送信電力制御方法。
【請求項３】
請求項１又は２に記載の送信電力制御方法において、
ダイバーシチハンドオーバ中の移動局が測定する各セルのパイロット信号の受信電力が最も高いプライマリの基地局に対する送信電力オフセットと、前記プライマリの基地局以外のノンプライマリの基地局に対する送信電力オフセットを制御することを特徴とする送信電力制御方法。
【請求項４】
移動パケット通信システムにおける移動局が複数の基地局に同時に接続されるソフトハンドオーバー時に、前記移動局で選択した基地局から送信され、複数の移動局で共有されるチャネルの送信電力オフセットを制御する無線制御装置において、
パイロット信号の受信電力強度を分類するテーブルと、
前記複数の移動局で共有されるチャネルの通信レートを分類するテーブルと、
前記無線リンク内の全セルのパイロット信号の受信電力強度のクラスの組み合わせと、前記複数の移動局で共有されるチャネルの通信レートのクラスと、送信電力のオフセットを登録するオフセット設定テーブルと、
移動局から報告された移動局−ネットワーク間で確立されている無線リンク内の全セルのパイロット信号の受信電力強度を、電力の強度に応じてクラス分けし、前記複数の移動局で共有されるチャネルの通信レートをクラス分けし、前記オフセット設定テーブルに基づいて、前記複数の移動局で共有されるチャネルの送信電力オフセットを決定するオフセット決定手段と
を備えたことを特徴とする無線制御装置。
【請求項５】
請求項４記載の無線制御装置において、
前記オフセット設定テーブルは、パイロット信号の受信電力強度から抽出したパイロット信号の受信電力強度の組み合わせと、前記複数の移動局で共有されるチャネルの通信レートのクラスとの関係を登録し、
前記オフセット決定手段は、移動局から報告された移動局−ネットワーク間で確立されている無線リンク内の全セルのパイロット信号の受信電力強度から抽出したパイロット信号の受信電力強度の組み合わせと、前記複数の移動局で共有されるチャネルの通信レートのクラスとの関係に基づいて、前記複数の移動局で共有されるチャネルの送信電力オフセットを制御することを特徴とする無線制御装置。
【請求項６】
請求項４又は５記載の無線制御装置において、
前記オフセット決定手段は、ダイバーシチハンドオーバ中の移動局が測定する各セルのパイロット信号の受信電力が最も高いプライマリの基地局に対する送信電力オフセットと、前記プライマリの基地局以外のノンプライマリの基地局に対する送信電力オフセットを制御することを特徴とする無線制御装置。
【発明の詳細な説明】
【０００１】
【発明の属する技術分野】
本発明は、ソフトハンドオーバー時における送信電力制御方法および無線制御装置に係り、詳しくは、移動パケット通信システムにおける下り共有チャネルの送信電力制御方法に関する。
【０００２】
また、本発明は、そのような送信電力制御方法に従って下り共有チャネルの送信電力を制御することのできる無線制御装置に関する。
【０００３】
【従来の技術】
近年のインターネット関連技術の発達に伴い、インターネットで音楽配信などの種々のサービスを提供できるようになってきている。このようなサービスでは、下り回線の伝送量が非常に多くなる。第３世代移動通信システムの国際規格を検討する３ＧＰＰ(3rd Generation Partnership Project)では、下り回線の伝送量が多いサービスを実現するために、下り回線におけるパケットアクセス方式の１つとしてとして、１つの下りチャネルを複数の移動局で共有するダウンリンクシャドチャネル（ＤＳＣＨ：Downlink Shared Channel、以下ＤＳＣＨと略記）が採用されている。図１１は、移動パケット通信システムにおいて、ＤＳＣＨを用いてパケット伝送を行う場合の従来技術を説明するための図である。同図に示すように、下り回線（基地局Ａ３１０から移動局Ａ４１０に向かう回線でダウンリンクとも呼ばれる）においては、移動局Ａ４１０宛のデータを送信するためのＤＳＣＨ（太線）と、該ＤＳＣＨに付随し、上記移動局Ａ４１０と無線制御情報をやり取りするための物理チャネルＡ−ＤＰＣＨ（Ａ−ＤＰＣＨ：Associated-Dedicated Physical Channel（点線）、以下、本例では、ＡＤＣＨと略記する）の２本の無線チャネルが別々に用いられており、また、上り回線（移動局Ａ４１０から基地局Ａ３１０に向かう回線でアップリンクとも呼ばれる）においては、移動局Ａ４１０からのデータと制御用の情報が１本の物理チャネル（ＤＣＨ：Dedicated Control Channel（実線）、以下、ＤＣＨと略記）に多重されて基地局Ａ３１０との通信が行われる。下り回線におけるＡＤＣＨは、制御用の信号のみを送信するため、比較的低速な回線速度に設定され、上り回線におけるＤＣＨは、制御用の信号と、ユーザデータも共に送信するため、下りのＡＤＣＨよりは、高速な回線速度が設定される。また、ＤＳＣＨに関しては、高速なデータ通信を行えるようにＡＤＣＨと比較すると高速な回線速度が設定される。
【０００４】
このような下り回線に設定されるＤＳＣＨを用いてパケット通信を行うには、基地局から、データ送信前の無線フレームにて、ＤＳＣＨによる送信を開始する旨がまず移動局に通知される。そして、この通知を受けた移動局が、上記基地局からのＤＳＣＨの受信を開始する。基地局は複数の移動局に対して、ＡＤＣＨを通じてＤＳＣＨ送信の通知を行い、またＤＳＣＨを通じてユーザデータの送信を行うことで、複数のユーザのデータを時間多重して伝送する。上述した図１１の場合、基地局Ａ３１０からの下りのＡＤＣＨと、ＤＳＣＨがそれぞれ１本設定されているが、ＤＳＣＨは常時設定されているわけでなく、ＤＣＨによって通知を受けた場合のみＤＳＣＨが設定される。
【０００５】
さらに、従来の技術では、ＡＤＣＨ及びＤＣＨの回線品質を向上させるためダイバーシチ受信（一般に、ソフトハンドオーバー（Ｓｏｆｔ Ｈａｎｄ Ｏｖｅｒ：ＳＨＯ）またはダイバーシチハンドオーバー（Ｄｉｖｅｒｓｉｔｙ Ｈａｎｄ Ｏｖｅｒ：ＤＨＯ）等と呼ばれ、以下では、「ＤＨＯ」を用いて説明する）と呼ばれる技術が適用される。図１２は、図１１に示す従来技術にこのＤＨＯ技術を適用した場合の、移動パケット通信システムでのチャネル構成例を示す図である。同図において、下り回線においては、基地局Ａ３１０と、基地局Ｂ３２０の形成するセル間の境界付近の所定領域において、移動局Ａ４１０は複数の基地局（この場合、基地局Ａ３１０とＢ）から送信されるＡＤＣＨを受信する。また、上り回線のＤＣＨは、複数の基地局（この場合、基地局Ａ３１０、Ｂ）によって受信される。このとき、ＤＳＣＨに関しては、複数のユーザデータが時間多重されるため、データの送信タイミングを制御するのが難しい。そのため、ＤＳＣＨの送信においては、ＤＨＯは適用されず、Active Set（移動局−ネットワーク間で確立されている無線リンク）内の１基地局（セル）からしか送信されない。
【０００６】
さて、無線アクセス方式の１つであるＣＤＭＡ（Code Division Multiple Access）のように、符号を用いてチャネルを構成する移動パケット通信システムにおいては、システム容量の低下を防止することができるという観点から、送信電力制御が重要な要素技術となっている。例えば、ＩＴＵ（国際電気通信連合）で策定されたＩＭＴ−２０００（International Mobile Telecommunications 2000）で採用されたＷ−ＣＤＭＡシステムにおいては、高速送信電力制御と呼ばれる技術が適用される。図１３は、このＷ−ＣＤＭＡシステムにおけるパケット伝送（ＤＳＣＨを用いてのパケット伝送）時の送信電力制御の動作を説明するための図である。図１３において、移動局Ａ４１０では、基地局Ａ３１０から送信されるＡＤＣＨの信号電力対干渉電力比（以下、ＳＩＲと略記）を計算（測定）し、その結果とあらかじめ定められている目標値（＝ターゲット値）とを比較する。その比較で、目標値より低ければ、基地局Ａ３１０に対して、ＡＤＣＨの送信電力を増加させるように、ＤＣＨにて、送信電力コマンドを送信する。逆にＡＤＣＨのＳＩＲが目標値よりも大きければ、ＡＤＣＨの送信電力を下げるように送信電力コマンドをＤＣＨにて送信する（同図▲１▼〜▲４▼のステップ）。
【０００７】
また、基地局Ａ３１０では、ＤＣＨのＳＩＲを計算（測定）し、移動局Ａ４１０と同様に、あらかじめ定められた目標値（ターゲット値）とＤＣＨのＳＩＲとを比較し、ＡＤＣＨにて送信電力制御コマンドを送信する（同図▲５▼〜▲８▼のステップ）。このようにして、移動局Ａ４１０と基地局Ａ３１０は、互いの送信電力を調整し合い、常に最適な送信電力を保つよう動作する。また、ＤＳＣＨの送信電力は、ＡＤＣＨの送信電力値にあらかじめ定められた値（オフセット値）を乗算した値に基づき制御される。これは、ＡＤＣＨの送信電力が移動局Ａ４１０から送信される送信電力制御コマンドに基づき、常に最適に制御されていると考えられ、また、ＡＤＣＨとＤＳＣＨが同時に送信されるため、基地局と移動局間の無線回線状態はＡＤＣＨとＤＳＣＨで同一とみなせるので、このような制御方法となっている。なお、オフセット値は複数の基地局を制御する無線回線制御措置から該当の基地局へと通知される。
【０００８】
図１４は、図１３に示す従来技術にＤＨＯを適用した場合の送信電力制御の動作を示した図である。同図において、ＤＨＯ中、移動局Ａ４１０は基地局Ａ３１０、Ｂから送信されるＡＤＣＨを受信して合成した後、ＳＩＲを計算（測定）し、その結果とあらかじめ定められている目標値（＝ターゲット値）とを比較する。そして、比較結果に基づいて送信電力制御コマンドを生成して、ＤＣＨ経由でそのコマンド基地局Ａ３１０、Ｂに送信する（同図▲１▼〜▲４▼のステップ）。また、基地局Ａ３１０では、ＤＣＨのＳＩＲを計算（測定）し、移動局Ａ４１０と同様に、あらかじめ定められた目標値（ターゲット値）とＤＣＨのＳＩＲとを比較し、ＡＤＣＨにて送信電力制御コマンドを送信する（同図▲５▼〜▲８▼のステップ）。
【０００９】
このような従来のＤＨＯ中の送信電力制御動作では、移動局Ａ４１０が基地局Ａ３１０、Ｂから送信されたＡＤＣＨを受信合成してＳＩＲを決定し、送信電力制御を行うため、例えば、基地局Ｂ３２０より到来する信号の受信電力が基地局Ａ３１０より到来する信号の受信電力より優勢であった場合、移動局Ａ４１０がＤＣＨにて送信する電力制御コマンドは、主に基地局Ｂ３２０と移動局Ａ４１０の無線リンク品質に対して発せられるようになり、基地局Ａ３１０のみから送信されるＤＳＣＨの送信電力制御に誤差が生じ、ＤＳＣＨの品質が一定に保たれなくなってしまう。この問題に対処するため、ＤＨＯ時の送信ダイバーシチ技術であるＳＳＤＴ（Site Selection Diversity Transmission）の適用が考えられている。ＳＳＤＴとは、ＤＨＯ中の移動局が各セルのＣＰＩＣＨの受信電力を測定し、その中から最も高い受信電力を与える１つの基地局を「プライマリ」として決定し、上りの制御信号（ＳＳＤＴ信号）を用いて各基地局に報告することで、プライマリの基地局からのみ下りリンクを送信させるという技術で、これにより、下りの干渉量の増大を防ぐことが可能となっている。なお、上記プライマリ以外の基地局（受信電力が高くない）は、「ノンプライマリ」として分類される。
【００１０】
３ＧＰＰ  ＴＲ２５．８４１では、ＤＨＯ中に、上記ＳＳＤＴの技術を用いてＤＳＣＨの送信電力を制御する方法が記載されている。これには、移動局から通知されるＳＳＤＴ信号に基づいて決定されたプライマリの基地局と、ノンプライマリの基地局のＤＳＣＨ送信電力オフセットを切り替える方法が記載されおり、換言すれば、基地局がプライマリか否かによって送信電力オフセット値を切り替えＤＳＣＨの送信電力を制御するというものである。さらに、上記方法のオフセット切り替え利得を評価した結果が、次の文献に示されている。
【００１１】
文献：花木等“Ｗ−ＣＤＭＡ方式のＤＳＣＨにおけるＳｏｆｔ  ＨａｎｄｏｖｅｒエリアでのＤＳＣＨ電力オフセット制御法の検討”２００２年電子情報通信学会総合大会B-5-136。
【００１２】
【発明が解決しようとする課題】
しかしながら、上述したような従来の移動パケット通信システムにおいては、ＤＨＯ中の移動局と、当該移動局宛にＡＤＣＨを送信している基地局との位置関係を考慮せずに、ＤＳＣＨに対して常に一定のプライマリ送信電力オフセット、ノンプライマリ送信電力オフセットで送信電力制御している。そのため、ＤＳＣＨが所要品質を満足しない、あるいは過剰品質となり基地局のシステム容量を圧迫するといった問題があった。
【００１３】
本発明は、上記のような問題点に鑑みてなされたもので、その課題とするところは、ＤＨＯ中において、ＤＳＣＨの品質の劣化を防ぐことのできるＤＳＣＨの送信電力制御方法を提供することである。
【００１４】
また、そのような送信電力制御方法に従ってＤＳＣＨの送信電力制御が行える無線制御装置を提供することである。
【００１５】
【課題を解決するための手段】
上記課題を解決するため、本発明によれば、移動パケット通信システムにおける移動局が複数の基地局に同時に接続されるソフトハンドオーバー時に、前記移動局で選択した基地局から送信される下りリンクパケット用共通チャネルの送信電力オフセットを制御する送信電力制御方法において、前記各基地局の下り無線回線品質の組み合わせと、前記下りリンクパケット用共通チャネルの通信レートとの関係に基づいて、該下りリンクパケット用共通チャネルの送信電力オフセットを制御することを特徴としている。
【００１６】
本発明によれば、前記送信電力制御方法において、前記各基地局の下り無線回線品質の組み合わせにしたがって抽出された基地局間の下り無線回線品質の差分を求め、その求めた差分と前記下りリンクパケット用共通チャネルの通信レートとの関係に基づいて、該下りリンクパケット用共通チャネルの送信電力オフセットを制御することを特徴としている。
【００１７】
本発明によれば、前記送信電力制御方法において、前記各基地局の下り無線回線品質の差分を求め、その求めた差分と前記下りリンクパケット用共通チャネルの通信レートとの関係に基づいて、該下りリンクパケット用共通チャネルの送信電力オフセットを制御することを特徴としている。
【００１８】
本発明によれば、前記送信電力制御方法において、前記各基地局の下り無線回線品質の組み合わせにしたがって抽出された基地局の下り無線回線品質を用いて、前記下り無線回線品質の特徴を求め、その求めた下り無線回線品質の特徴と前記下りリンクパケット用共通チャネルの通信レートとの関係に基づいて、該下りリンクパケット用共通チャネルの送信電力オフセットを制御することを特徴としている。
【００１９】
本発明によれば、前記下り無線回線の品質を、前記各基地局から送信されるパイロット信号の受信電力強度から求めることを特徴としている。
【００２０】
また、上記送信電力制御方法に従って送信電力制御が行える無線制御装置は、移動パケット通信システムにおける移動局が複数の基地局に同時に接続されるソフトハンドオーバー時に、前記移動局で選択した基地局から送信される下りリンクパケット用共通チャネルの送信電力オフセットを制御する無線制御装置において、前記各基地局の下り無線回線品質の組み合わせを保持する下り無線回線品質記憶手段と、前記下りリンクパケット用共通チャネルの通信レートの情報を取得して保持する通信レート記憶手段と、前記下り無線回線品質記憶手段により保持されている該当基地局の下り無線回線品質の組み合わせと、前記通信レート記憶手段により保持されている前記下りリンクパケット用共通チャネルの通信レートとの関係に基づいて、該下りリンクパケット用共通チャネルの送信電力オフセットを決定するオフセット決定手段とを備えたことを特徴としている。
【００２１】
本発明によれば、前記無線制御装置において、前記下り無線回線品質記憶手段は、前記各基地局の下り無線回線品質の組み合わせにしたがって抽出された基地局間の下り無線回線品質の差分を求め、その求めた差分値を記憶することを特徴としている。
【００２２】
本発明によれば、前記無線制御装置において、前記下り無線回線品質記憶手段は、前記各基地局の下り無線回線品質の差分を求め、その求めた差分値を記憶することを特徴としている。
【００２３】
本発明によれば、前記無線制御装置において、前記下り無線回線品質記憶手段は、前記各基地局の下り無線回線品質の組み合わせにしたがって抽出された基地局の下り無線回線品質を用いて、前記下り無線回線品質の特徴を求め、その求めた下り無線回線品質の特徴を記憶すること特徴としている。
【００２４】
本発明によれば、前記無線制御装置において、前記下り無線回線品質記憶手段は、前記基地局から送信されるパイロット信号の受信電力強度を前記基地局の下り無線回線品質とすることを特徴としている。
【００２５】
本発明によれば、前記無線制御装置において、前記オフセット決定手段は、下りリンクパケット用共通チャネルの送信電力オフセットを、前記下り無線回線品質記憶手段により記憶されている該当基地局の下り無線回線品質の組み合わせと、前記通信レート記憶手段により記憶されている前記下りリンクパケット用共通チャネルの通信レートとに関連付けて登録するオフセット設定テーブルを備え、前記オフセット設定テーブルの参照により、該当基地局に対する該下りリンクパケット用共通チャネルの送信電力オフセットを決定することを特徴としている。
【００２６】
本発明によれば、移動局宛の制御信号を送信している各基地局からのパイロット信号受信強度の組み合わせと、下りリンクパケット用共通チャネルの通信レートとの関係に基づいて該下りリンクパケット用共通チャネルの送信電力オフセットが求められるので、その求められたオフセット値は、現時点における基地局と移動局との距離と電力関係を反映したものとなる。すなわち、基地局や移動局周辺における電波環境を正確に把握した状態でＤＳＣＨに対する送信電力オフセットが求められるようになるので、ＤＨＯ中であってもＤＳＣＨの送信電力制御誤差を軽減することができ、ＤＳＣＨの品質劣化を防ぐことができる
【発明の実施の形態】
以下、本発明の実施の形態を図面に基づいて説明する。
【００２７】
図１は、本発明の送信電力制御方法が適用される移動パケット通信システムの構成例を示す図である。
【００２８】
図１において、この移動パケット通信システムは、交換装置１００と無線制御装置２００、基地局装置Ａ３１０〜Ｃ３３０（以下、基地局という）が階梯をなして構成される。移動局Ａ４１０は基地局Ａ３１０と、移動局Ｂ４２０は基地局Ｂ３２０と無線回線を介して通信を行う。また、移動局Ａ４１０は、ＤＨＯエリアにおいて、基地局Ａ３１０と基地局２からの信号を受信する。無線制御装置２００は、基地局Ａ３１０〜Ｃ３３０に対して、ＤＳＣＨに対する送信電力オフセット値の指定や、移動局の移動速度やフェ−ジングの影響を考慮してＤＨＯブランチの追加及び削除の指令を出し、複数の基地局（本例では、基地局Ａ３１０〜Ｃ３３０）を統括・制御する制御装置である。
【００２９】
図２は、図１に示す移動パケット通信システムにおいて無線制御装置２００の機能ブロックを示す図である。図２において、この無線制御装置２００には、幹線網側の交換装置１００から到来する移動局ユーザ宛の情報を一時的に格納するユーザデータバッファ１１が備えられ、このユーザデータバッファに格納されたデータはキューイング処理部１２に出力される。キューイング処理部１２では、基地局に出力するユーザデータの転送を行う際のデータ送出順序の制御が行われる。例えば、FIFO(First in First out : 先入れ先出し)キューイング方式、Priority（優先度）キューイング方式等に基づいて基地局へのデータ送出順序が制御される。ＤＨＯ制御部１４では、移動局からのＤＨＯブランチの追加・削除要求に応じて、基地局を制御してＤＨＯブランチの設定（基地局へＤＨＯブランチの追加・削除を指示）を行い、記憶部１５では、定期的に、または無線制御部１６からの報告要求により移動局から報告される通信中基地局の下り無線品質（具体的には、パイロット信号受信電力強度）の情報が記憶される。オフセット計算部１３は、上記記憶部１５に蓄積されている情報を用いて、ＤＳＣＨ送信電力のオフセット、すなわちプライマリ送信電力オフセットとノンプライマリ送信電力オフセットを求め、その結果を基地局に通知する。基地局では、無線制御装置から通知されたプライマリ送信電力オフセット、もしくはノンプライマリ送信電力オフセットをＤＳＣＨ送信電力にかけて送信する。
【００３０】
図３は、図２に示す無線制御装置２００内の記憶部１５に蓄積される参照用テーブルと情報の項目を示す図である。同図に示すように、この記憶部１５には、▲１▼移動局毎のパイロット信号受信電力の組み合わせ（ＤＳＣＨの通信レート情報を含む）
▲３▼オフセット設定用テーブル
が蓄積される。上記▲１▼は、Active Set内の複数の基地局から送信されているパイロット信号受信電力強度の組み合わせと、ＤＳＣＨの送信局である基地局から送信されているＤＳＣＨの通信レートが移動局毎に管理される。ここで、Active Set内の複数の基地局（全セル）のパイロット信号受信電力強度の組み合わせについて説明する。
【００３１】
移動局から報告されたActive Setの全セルのパイロット信号受信電力強度は、まず、あらかじめ定義された分類テーブルによるクラス分けがなされる。図５は、このクラス分けの際に使用するパイロット信号受信電力分類テーブルの一例である。同テーブルに示すように、Active Setの全セルのパイロット信号受信電力強度は、電力の強度に応じて４段階にクラス分け（Ａ〜Ｄの４段階）される。例えば、Active Set数を８とした場合、クラス分け後のパイロット信号受信電力強度は、図７に示すように、「ＡＡＢＤＤＣＢＣ」という組み合わせが得られる。また、上記同様、ＤＳＣＨの通信レートも、６４ｋｂｐｓ、１２８ｋｂｐｓ、２５６ｋｂｐｓ、３８４ｋｂｐｓの４段階にクラス分け（Ａ〜Ｄの４段階）される（図６参照）。上記▲２▼は、上記▲１▼に関連付けられて求められたプライマリ送信電力オフセット値と、ノンプライマリ送信電力オフセット値が所定のテーブルに登録される。本例では、このテーブルをオフセット設定テーブルという。
【００３２】
次に、上記オフセット計算部１３での送信電力オフセットを決定する処理手順について、図４のフローチャートを参照しながら説明する。
【００３３】
図４において、オフセット計算部１３は、キューイング処理部１２より、送信対象のユーザＩＤの通知を受ける（Ｓ１）と、そのユーザＩＤ（ここでは、「０９０ｘｘ」とする）に該当する移動局のパイロット信号受信電力強度の組み合わせ（本例では、図７に示すＡＡＢＤＤＣＢＣという組み合わせが得られたものと仮定する）と、クラス分けされたＤＳＣＨ通信レートを記憶部１５より取得（Ｓ２）する。前述したように、移動局から報告されたActive Setの全セルのパイロット信号受信電力強度は４段階に、ＤＳＣＨの通信レートも４段階に分類される。ここで、Active Set数を８と仮定した場合、オフセット設定テーブルは、４×４×８＝１２８個の設定値をもつことになる。オフセット計算部１３は、上記パイロット信号受信電力強度の組み合わせ（▲１▼）と、ＤＳＣＨの通信レート（▲２▼）を取得すると、上記オフセット設定テーブルを参照（Ｓ３）して該当のＤＳＣＨ送信電力オフセット値を求める。図８は、オフセット計算部１３で参照されるオフセット設定テーブルの一例を示した図である。例えば、移動局から報告されたパイロット信号受信電力強度の組み合わせが「ＡＡＢＤＤＣＢＣ」、ＤＳＣＨ通信レートのクラスがＡである場合、ＤＳＣＨ送信電力オフセット値として、プライマリオフセットＡ１ｄＢ、ノンプライマリオフセットＡ２ｄＢが得られる（矢印）。なお、同テーブルの、「Ｎｏ」の欄には、１〜１２８の設定番号が示され、「Active Set内のパイロット信号受信電力強度の組み合わせ」の欄には、クラス分け後の当該受信電力強度の組み合わせが示され、「ＤＳＣＨ通信レートクラス」の欄には、クラス分け後のＤＳＣＨ通信レートが示され、「送信電力オフセット値」の欄には、登録されたプライマリオフセットおよびノンプライマリオフセット値が示される。オフセット計算部１３内は、上記のようにして求めたＤＳＣＨ送信電力オフセット値を基地局と移動局に通知（Ｓ４）する。
【００３４】
さて、通常、基地局と移動局との間の距離が一定の場合、高速パケットチャネルには高い送信電力が必要であるが、低速パケットチャネルには低い送信電力しか必要とならない。一方で、パケットチャネルの伝送速度が一定の場合、基地局と移動局との間の距離が長ければ高い送信電力が必要であるが、該距離が短ければ低い送信電力しか必要とならない。本発明では、Active Set内の基地局のパイロット信号受信強度の組み合わせと、ＤＳＣＨの速度を表す通信レートを利用することで、基地局と移動局との間の距離と電力関係を把握し、その結果に基づいてＤＳＣＨに対する送信電力オフセットを制御することを最大の特徴としている。
【００３５】
したがって、上記のようにして求められたＤＳＣＨに対する送信電力オフセットは、現時点における基地局と移動局との距離と電力関係を反映したものとなり、基地局や移動局周辺における電波環境を正確に把握した状態でのＤＳＣＨに対する送信電力オフセットの制御が実現できる。その結果、ＤＨＯ中であってもＤＳＣＨの送信電力制御誤差を軽減することができ、ＤＳＣＨの品質劣化を防ぐことができる。
【００３６】
なお、上述の実施形態は本発明の好適な実施の一例であり、これに限定されるものではない。本発明の要旨を逸脱しない範囲内において種々変形実施が可能である。例えば、Active Setの全セルのパイロット信号受信電力強度の組み合わせを以下のような手順で求めてもかまわない。
【００３７】
（実施形態の変形例１）
オフセット計算部１３は、上記Active Set内の基地局のパイロット信号受信強度（例：ｎ＝３個）を記憶部から取得すると、その取得したｎ個のパイロット信号受信強度から、ｒ個抽出した場合のパイロット信号受信強度の組み合わせをｚ組（例：Ｚ＝ｎＣｒ＝３Ｃ２＝３組）取り出し、取り出されたｚ組のパイロット信号受信強度の組み合わせと、ＤＳＣＨ通信レートとに対応付けて計算されて登録されているＤＳＣＨ送信電力オフセット値を、オフセット設定テーブルを参照して求める。ここで、求められるプライマリ送信電力オフセット値とノンプライマリ送信電力オフセット値（＝ＤＳＣＨ送信電力オフセット値）は、例えば、ｚ組分得られるＤＳＣＨ送信電力オフセット値と、所定の閾値とを比較し、その比較結果に基づくＤＳＣＨ送信電力オフセット値が選択される。図９は、上記実施形態の変形例１において、記憶部１５に蓄積されるActive setの全セルのパイロット信号受信電力と、ＤＳＣＨ通信レートの蓄積概念を示す図で、図１０は、Active setの全セルのパイロット信号受信電力の一組み合わせと、ＤＳＣＨ通信レートとに対応付けられて登録されているＤＳＣＨ送信電力オフセット値を示す図である。図１０の例では、パイロット信号受信電力のｚ組のうち、ＸＸ、ＹＹの組み合わせと、ＤＳＣＨ通信レートのクラスＡに基づくＤＳＣＨ送信電力オフセット値（プライマリオフセット値として「Ａ１ｄＢ」が、ノンプライマリオフセット値として「Ａ２ｄＢ」）が登録されている例を示している。
【００３８】
（実施形態の変形例２）
さらに、Active Set内の基地局のパイロット信号受信強度の差分をとり、その差分とＤＳＣＨ通信レートとの関係によって送信電力オフセットを求めるような形態であってもよい。また、上記組み合わせで取り出されたパイロット信号受信強度の差分を求め、その差分値とＤＳＣＨ通信レートとの関係によって送信電力オフセットを求めるような形態であってもよい。また、さらに、上記組み合わせで取り出されたパイロット信号受信強度からパイロット信号受信電力の特徴を示す値を求め、その特徴値とＤＳＣＨ通信レートとの関係によって送信電力オフセットを求めるような形態であってもよい。
【００３９】
上記例において、無線制御装置２００の記憶部１５の記憶管理機能が、下り無線回線品質記憶手段、通信レート記憶手段に対応し、オフセット計算部の送信電力オフセット算出機能がオフセット決定手段に対応する。
【００４０】
【発明の効果】
以上、説明したように、本願発明によれば、Active Set内の基地局のパイロット信号受信強度の組み合わせと、ＤＳＣＨの通信レートとの関係に基づいてＤＳＣＨに対する送信電力オフセットが求められるので、その求められたオフセット値は、現時点における基地局と移動局との距離と電力関係を反映したものとなる。すなわち、基地局や移動局周辺における電波環境を正確に把握した状態でＤＳＣＨに対する送信電力オフセットが求められるようになるので、ＤＨＯ中であってもＤＳＣＨの送信電力制御誤差を軽減することができ、ＤＳＣＨの品質劣化を防ぐことができる。
【図面の簡単な説明】
【図１】本発明の送信電力制御方法が適用される移動パケット通信システムの構成例を示す図
【図２】図１に示す移動パケット通信システムにおける無線制御装置の機能ブロック図
【図３】図２に示す無線制御装置内の記憶部に蓄積される参照用テーブルと情報の項目を示す図
【図４】オフセット計算部での送信電力オフセットを決定する処理手順を示すフローチャート
【図５】パイロット信号受信電力分類テーブルを示す図である。
【図６】ＤＳＣＨ通信レート分類テーブルを示す図である。
【図７】記憶部に蓄積される移動局毎のパイロット信号受信電力組み合わせ例を示す図である。
【図８】オフセット設定テーブルの一例（その１）を示す図である。
【図９】記憶部に蓄積されるActive setの全セルのパイロット信号受信電力と、ＤＳＣＨ通信レートの蓄積概念を示す図である。
【図１０】オフセット設定テーブルの一例（その２）を示す図である。
【図１１】移動パケット通信システムにおいて、ＤＳＣＨを用いてパケット伝送を行う場合の従来技術を説明するための図である。
【図１２】図１１に示す従来技術にこのＤＨＯ技術を適用した場合の、移動パケット通信システムでのチャネル構成例を示す図である。
【図１３】Ｗ−ＣＤＭＡシステムにおけるパケット伝送時の送信電力制御の動作を説明するための図である。
【図１４】図１３に示す従来技術にＤＨＯを適用した場合の送信電力制御の動作を示した図である。
【符号の説明】
１１  ユーザデータバッファ
１２  キューイング処理部
１３  オフセット計算部
１４  ＤＨＯ制御部
１５  記憶部
１６  無線制御部
１００  交換装置
２００  無線制御装置
３１０  基地局Ａ
３２０  基地局Ｂ
３３０  基地局Ｃ
４１０  移動局Ａ
４２０  移動局Ｂ
【図１】
0004074476.tif 000002
【図２】
0004074476.tif 000003
【図３】
0004074476.tif 000004
【図４】
0004074476.tif 000005
【図５】
0004074476.tif 000006
【図６】
0004074476.tif 000007
【図７】
0004074476.tif 000008
【図８】
0004074476.tif 000009
【図９】
0004074476.tif 000010
【図１０】
0004074476.tif 000011
【図１１】
0004074476.tif 000012
【図１２】
0004074476.tif 000013
【図１３】
0004074476.tif 000014
【図１４】
0004074476.tif 000015